(57)【特許請求の範囲】
【請求項１】
光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータ（５０）に入力するための入力手段（２３）と、
船の光特性を計測した光情報を上記コンピュータ（５０）に入力する光計測手段（２６）と、
上記入力手段（２３）にて入力されたマイマイガ発生リスク情報と、上記光計測手段（２６）からの光情報とを、記憶する記憶手段（２０）とを、備え、
上記マイマイガ発生リスク情報と上記光情報に基づいて船を所定のマス目に区割りしたグリッドから成る対象区域（Ｔｉ）毎に少なくとも光に起因するマイマイガの誘引の虞れを分析する誘引リスク分析手段（２７）と、
上記対象区域（Ｔｉ）毎のマイマイガの虫害が発生する危険性を複数段階のフェーズ（Ｆｉ）で評価するリスクレベル評価手段（２８）と、
上記対象区域（Ｔｉ）毎のフェーズ（Ｆｉ）に対応してマイマイガ対策案の決定を行う対策案決定手段（２１）を、
備えたことを特徴とする船舶用マイマイガ防除システム。
【請求項２】
上記光計測手段（２６）は、海洋側及び上空から船を撮影する光分析計測器付き無人航空機（２９）を備えている請求項１記載の船舶用マイマイガ防除システム。
【請求項３】
上記マイマイガ発生リスク情報には、過去のマイマイガ発見事例を蓄積したマイマイガ防除経験情報が付加されている請求項１又は２記載の船舶用マイマイガ防除システム。
【請求項４】
光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータ（５０）に入力して記憶させる第１情報入力工程（１）と、船の光特性を計測した光情報をコンピュータ（５０）に入力して記憶させる第２情報入力工程（２）とを、備え、
上記第１情報入力工程（１）にて入力されるマイマイガ発生リスク情報と、上記第２情報入力工程（２）にて入力される光情報と、に基づいて、船を所定のマス目に区割りしたグリッドから成る対象区域（Ｔｉ）毎に少なくとも光に起因するマイマイガの誘引の虞れを分析する誘引リスク分析工程（３）と、
上記対象区域（Ｔｉ）毎にマイマイガの虫害が発生する危険性を複数段階のフェーズ（Ｆｉ）で評価するリスクレベル評価工程（４）と、
上記対象区域（Ｔｉ）毎のフェーズ（Ｆｉ）に対応してマイマイガ対策案を決定する対策案決定工程（５）と、
を具備することを特徴とする船舶用マイマイガ対策案決定方法。
【発明の詳細な説明】
【技術分野】
【０００１】
本発明は、船舶用マイマイガ防除システム及び船舶用マイマイガ対策案決定方法に関する。
【背景技術】
【０００２】
アジア型マイマイガ（以下、ＡＧＭという。）は、日本、中国、韓国等に分布する森林害虫である。米国、カナダ、ニュージーランド及びチリに於ては、ＡＧＭが未発生で、日本、中国、韓国などから来る船舶や積荷に付着したＡＧＭの卵塊が持ち込まれ、国内に侵入することを警戒している。例えば、米国及びカナダは、ＡＧＭ規制対象地域へＡＧＭ飛翔期間に寄港した船舶に対し、ＡＧＭ卵塊の検査・除去を行った上で公認検査機関が発給するＡＧＭ不在証明書の提示を要求し、かつ、不在証明書発給後、現地の港に入港するまでの間に、船員による点検の実施を要請している。米国及びカナダによる検査でＡＧＭ卵塊が発見された場合、沖合検査、入港拒否等の措置がとられることもあった。
【０００３】
過去の経験から、ＡＧＭは、光に引き寄せられる性質があり、特に、紫外線波長の光に強く誘引されることが判っている（特許文献１及び特許文献２参照）。
例えば、図１０のように、船上で作業面４５を照らすだけでいい照明４０の漏れ光４１が港湾の敷地外まで到達し、港湾外から多くのＡＧＭを誘引すると考えられている。即ち、照明４０を正しくコントロールして漏れ光４１を減らすことができれば、ＡＧＭの飛来は相当数低減される。従来、船舶に於けるマイマイガ対策として、図１１に示すように、照明４０にフード４２を被せ、光を作業面４５に集中させることで、余分な漏れ光を無くして、ＡＧＭの飛来を防止する対策が採られていた。あるいは、図１２に示すように、照明４０にルーバー４３を設置して配光を制御することもあった。また、図示省略するが、ＡＧＭを強く誘引する紫外線波長の光を低減するフィルターを照明４０に取付けるＵＶカットの対策もあった。
【先行技術文献】
【特許文献】
【０００４】
【特許文献１】特開２００２−５１６８１号公報
【特許文献２】特開２００７−３７４２９号公報
【発明の概要】
【発明が解決しようとする課題】
【０００５】
しかし、従来、上述のようなマイマイガ対策が、人の勘と経験に頼って行われていた。従って、マイマイガ対策案を立案した人によっては、効果が十分でなく、ＡＧＭが飛来して、貨物やコンテナ、船のライトや壁面に卵塊が産みつけられることがあった。また、マイマイガ対策をする必要が無い箇所に、過剰なマイマイガ対策を行うことで、無駄なコストが増大するという欠点があった。
さらに、船の光をコントロールすることにより、ＡＧＭの飛来を抑制するのが前提であるが、それだけでは、ＡＧＭの防除は完全とはいえず、船上でＡＧＭに卵を産ませないマイマイガ対策案の構築が必要であった。
【０００６】
そこで、本発明は、ＡＧＭの防除対策を行うべき対象区域に対して、適切な場所に適正な品質をもって、必要かつ十分なＡＧＭ対策を実施することが可能な船舶用マイマイガ防除システム及び船舶用マイマイガ対策案決定方法を提供することを目的とする。
【課題を解決するための手段】
【０００７】
本発明に係る船舶用マイマイガ防除システムは、光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータに入力するための入力手段と、船の光特性を計測した光情報を上記コンピュータに入力する光計測手段と、上記入力手段にて入力されたマイマイガ発生リスク情報と、上記光計測手段からの光情報とを、記憶する記憶手段とを、備え、上記マイマイガ発生リスク情報と上記光情報に基づいて船を所定のマス目に区割りしたグリッドから成る対象区域毎に少なくとも光に起因するマイマイガの誘引の虞れを分析する誘引リスク分析手段と、上記対象区域毎のマイマイガの虫害が発生する危険性を複数段階のフェーズで評価するリスクレベル評価手段と、上記対象区域毎のフェーズに対応してマイマイガ対策案の決定を行う対策案決定手段を、備えたものである。
【０００８】
また、上記光計測手段は、海洋側及び上空から船を撮影する光分析計測器付き無人航空機を備えているものである。
また、上記マイマイガ発生リスク情報には、過去のマイマイガ発見事例を蓄積したマイマイガ防除経験情報が付加されているものである。
【０００９】
また、本発明に係る船舶用マイマイガ対策案決定方法は、光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータに入力して記憶させる第１情報入力工程と、船の光特性を計測した光情報をコンピュータに入力して記憶させる第２情報入力工程とを、備え、上記第１情報入力工程にて入力されるマイマイガ発生リスク情報と、上記第２情報入力工程にて入力される光情報と、に基づいて、船を所定のマス目に区割りしたグリッドから成る対象区域毎に少なくとも光に起因するマイマイガの誘引の虞れを分析する誘引リスク分析工程と、上記対象区域毎にマイマイガの虫害が発生する危険性を複数段階のフェーズで評価するリスクレベル評価工程と、上記対象区域毎のフェーズに対応してマイマイガ対策案を決定する対策案決定工程と、を具備する方法である。
【発明の効果】
【００１０】
本発明の船舶用マイマイガ防除システムによれば、人の勘と経験に頼らず、マイマイガの虫害が発生する危険性の度合いによって、対象区域毎に最適のマイマイガ対策案の種類又は性能、及び、数量を、確実かつ容易に決定できる。このように、僅かな入力によって、自動的に適正な品質及びコストのマイマイガ対策案を決定できる。海洋上を移動する船舶に於て、ＡＧＭの発生を能率的に防止でき、全世界的にＡＧＭ虫害を抑制できる。
【００１１】
また、船舶用マイマイガ対策案決定方法によれば、人の勘と経験に頼らず、マイマイガの虫害が発生する危険性の度合いによって、対象区域毎に最適のマイマイガ対策案の種類又は性能、及び、数量を、確実かつ容易に決定できる。このように、僅かな入力によって、自動的に適正な品質及びコストのマイマイガ対策案を決定できる。海洋上を移動する船舶に於て、ＡＧＭの発生を能率的に防止でき、全世界的にＡＧＭ虫害を抑制できる。
【図面の簡単な説明】
【００１２】
【図１】本発明の船舶用マイマイガ防除システムを示したブロック図である。
【図２】本発明の船舶用マイマイガ対策案決定方法を示したブロック図である。
【図３】船を左舷側から見た側面図である。
【図４】船を右舷側から見た側面図である。
【図５】船を上空から見た平面図である。
【図６】他の船の側面図である。
【図７】別の船の側面図である。
【図８】さらに他の船の側面図である。
【図９】無人航空機の一例を示す斜視図である。
【図１０】従来例を説明する簡略図である。
【図１１】マイマイガ対策の一例を示す簡略図である。
【図１２】マイマイガ対策の他の例を示す簡略図である。
【発明を実施するための形態】
【００１３】
以下、実施の形態を示す図面に基づき本発明を詳説する。
図１に示すように、本発明の船舶用マイマイガ防除システムは、貿易船や客船等の船舶に於て、アジア型マイマイガ（ＡＧＭ）の防除の必要がある対象区域に対し、適度な正しいマイマイガ対策案を選定するためのシステムである。
本発明の船舶用マイマイガ防除システムは、光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータ５０に入力するための入力手段２３を有している。
【００１４】
マイマイガの生態要因は、船の航路上のＡＧＭ規制対象地域毎のＡＧＭの生態に関する情報であって、上述の光特性に対応するマイマイガの誘引度数の他、ＡＧＭ規制対象地域毎のＡＧＭ飛翔期間、産卵の時季等、虫害を発生させる虞れの高いＡＧＭのハイリスク期間等である。
【００１５】
船舶要因とは、船の種類と積荷、船体構造等である。船の種類としては、例えば、バラ積み船、コンテナ船、客船、自動車運搬船等の種類があり、これらの船の積荷は、貨物やコンテナ、植物、鉱物、機械製品、食品、自動車等である。船体構造としては、照明の種類、数、位置、搬入口の大きさ、位置、周辺の明るさ、さらに、クレーンや格納庫を有しているか否か等である。
【００１６】
航海要因とは、船の航海計画、即ち、航路と、航海日数と、航路上の気温・湿度等の気候と、海水温度、航路に対応する季節と、寄港地域の周辺環境等である。
マイマイガ発生リスク情報には、マイマイガ生態要因と船舶要因と航海要因の他、ＡＧＭが船舶に虫害を発生させるような各種の要因が含まれており、その要因毎にリスク点数が設定されている。
【００１７】
また、船の光特性を計測した光情報をコンピュータ５０に入力する光計測手段２６を有している。
光計測手段２６は、紫外線のみを透過するフィルターを取付けたカメラ、照明などから出る光の波長を感知する分光器、物体から放射される赤外線を分析するサーモグラフィー等を用い、船の照明から出る紫外線（ＵＶ）、照明の照度・輝度・光束、及び、船体の色温度・温湿度・熱線、及び、被照射面の照り返し（反射）光等を計測する。さらに、船体に付着する有機物の有無等を観察する。
【００１８】
コンピュータ５０は、入力手段２３にて入力されたマイマイガ発生リスク情報と光計測手段２６からの光情報を記憶する記憶手段２０とを、備えている。
記憶手段２０にはマイマイガ発生リスク情報と光情報がリスクデータベースとして予め入力されている。
マイマイガ発生リスク情報には、過去のマイマイガ発見事例を蓄積したマイマイガ防除経験情報が付加されている。なお、マイマイガ防除経験情報とは、船舶に於て、過去にＡＧＭの卵塊又は幼虫を発見した場所の事例である。
【００１９】
さらに、マイマイガ発生リスク情報と光情報に基づいて、少なくとも船の光に起因するＡＧＭの誘引の虞れを分析する誘引リスク分析手段２７を有している。
図３に示すように、誘引リスク分析手段２７では、船を所定のマス目に区割りしたグリッドから成る対象区域Ｔｉ（Ｔ１，Ｔ２，Ｔ３，Ｔ４，Ｔ５，Ｔ６，Ｔ７，Ｔ８，Ｔ９，Ｔ１０…）毎にＡＧＭの誘引の虞れを分析する。具体的には、マイマイガ生態要因が含有する光特性に対するＡＧＭの誘引度数を踏まえ、船の光特性により、ＡＧＭの誘引され易い対象区域Ｔｉには高いリスク点数を割り当てる。
【００２０】
誘引リスク分析手段２７の分析結果を受けて、対象区域Ｔｉ毎のＡＧＭの虫害が発生する危険性を複数段階のフェーズＦｉで評価するリスクレベル評価手段２８と、対象区域Ｔｉ毎のフェーズＦｉに対応してマイマイガ対策案の決定を行う対策案決定手段２１を、備えている。
リスクレベル評価手段２８は、下記の表１に示すように、マイマイガ虫害の発生する危険性の度合いによってフェーズＦ１〜フェーズＦ６を６段階に設定している。なお、ＡＧＭの虫害が発生する危険性の評価は、対象区域Ｔｉ毎に複数要因によるリスク点数を合算して、そのリスク点数の合計点数によって、６段階のフェーズＦ１〜フェーズＦ６に振り分けている。
【００２１】
【表１】
0005961306.tif 000002
【００２２】
対策案決定手段２１は、船の出航前の事前対策として、対象区域Ｔｉ毎に、ＵＶカット・配光制御の実施、防虫加工の施工、フェロモン・トラップ、忌避剤、防虫網の設置等のマイマイガ対策が必要であるか否か判定すると共に、必要に応じて上記のマイマイガ対策の種類とその組合わせ、マイマイガ対策の性能、及び、数量を決定する。
また、対策案決定手段２１は、ＡＧＭに対する出航前の事前対策実行後の上記対象区域Ｔｉ毎の虫害の発生の危険性と、事前対策実行後の虫害の発生の危険性との変化を反映して、事前対策実行後に於てなお危険性の高い複数の対象区域Ｔｉを重要管理点（ＣＣＰ：critical control point）として設定し、下記の表２に示すように、船の出航後の追加防除対策、及び、予防的対策を新たに決定する。重要管理点は、危険性の高い順に１〜１０の対象区域Ｔｉに対し設定されるのが好ましい。
【００２３】
【表２】
0005961306.tif 000003
【００２４】
具体的には、追加防除対策とは、エアーの吹付け、水洗、清掃、及び、ＡＧＭの卵塊除去である。また、予防的対策とは、防虫灯・誘虫灯の設置、防虫スプレーの散布等である。
なお、コンピュータ５０は、決定したマイマイガ対策案を表示するための表示手段２４を有している。
【００２５】
光計測手段２６は、図９に示すように、遠隔操作によって飛行可能な光分析計測器付き無人航空機（ドローン）２９を備え、無人航空機２９によって、図４と図５に示すように、海洋側及び上空から船を撮影する。
無人航空機２９には、光分析計測器３０が搭載され、光分析計測器３０にて得た光情報を無線通信によってコンピュータ５０に入力するよう構成されている。
【００２６】
次に、本発明の船舶用マイマイガ対策案決定方法について説明する。
図２に示すように、光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータ５０に入力して記憶させる第１情報入力工程１と、船の光特性を計測した光情報をコンピュータ５０に入力して記憶させる第２情報入力工程２とを、備えている。
【００２７】
次に、第１情報入力工程１にて入力されるマイマイガ発生リスク情報と、第２情報入力工程２にて入力される光情報と、に基づいて、船を所定のマス目に区割りしたグリッドから成る対象区域Ｔｉ毎に少なくとも光に起因するマイマイガの誘引の虞れを分析する誘引リスク分析工程３と、対象区域Ｔｉ毎にマイマイガの虫害が発生する危険性を複数段階のフェーズＦｉで評価するリスクレベル評価工程４と、対象区域Ｔｉ毎のフェーズＦｉに対応してマイマイガ対策案を決定する対策案決定工程５と、を具備している。
【００２８】
図３では、１つの例として、クレーンを有するバラ積み船を、所定のマス目に区割りしたグリッドから成る対象区域Ｔｉを設定しているが、図６のように、コンテナ船に対象区域Ｔｉを設定する場合には、図例のように所定のマス目に区割りしたグリッドを形成しても良い。また、同様に、図７に示す（大型）客船や、図８に示す自動車運搬船に、所定のマス目に区割りしたグリッドから成る対象区域Ｔｉを設定しても良い。
【００２９】
なお、本発明は、設計変更可能であって、例えば、マイマイガ対策案は上述した以外のもので良い。
【００３０】
以上のように、本発明に係る船舶用マイマイガ防除システムは、光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータ５０に入力するための入力手段２３と、船の光特性を計測した光情報をコンピュータ５０に入力する光計測手段２６と、入力手段２３にて入力されたマイマイガ発生リスク情報と、光計測手段２６からの光情報とを、記憶する記憶手段２０とを、備え、マイマイガ発生リスク情報と光情報に基づいて船を所定のマス目に区割りしたグリッドから成る対象区域Ｔｉ毎に少なくとも光に起因するマイマイガの誘引の虞れを分析する誘引リスク分析手段２７と、対象区域Ｔｉ毎のマイマイガの虫害が発生する危険性を複数段階のフェーズＦｉで評価するリスクレベル評価手段２８と、対象区域Ｔｉ毎のフェーズＦｉに対応してマイマイガ対策案の決定を行う対策案決定手段２１を、備えたので、人の勘と経験に頼らず、マイマイガの虫害が発生する危険性の度合いによって、対象区域Ｔｉ毎に最適のマイマイガ対策案の種類又は性能、及び、数量を、確実かつ容易に決定できる。このように、僅かな入力によって、自動的に適正な品質及びコストのマイマイガ対策案を決定できる。海洋上を移動する船舶に於て、ＡＧＭの発生を能率的に防止でき、全世界的にＡＧＭ虫害を抑制できる。
【００３１】
また、光計測手段２６は、海洋側及び上空から船を撮影する光分析計測器付き無人航空機２９を備えているので、短時間、かつ、低コストで、船の光特性を海洋側及び上空から計測できる。船全体の光特性を調査でき、適切な場所に適正な品質をもって、必要かつ十分なマイマイガ対策案を実施できる。
【００３２】
また、マイマイガ発生リスク情報には、過去のマイマイガ発見事例を蓄積したマイマイガ防除経験情報が付加されているので、光等の条件だけではＡＧＭの発生を予想できないような場所に、過去の経験を活かして最適のマイマイガ対策案を実施でき、抜け目なく、能率的に、ＡＧＭの発生を防止できる。
【００３３】
また、本発明に係る船舶用マイマイガ対策案決定方法は、光特性に対応するマイマイガの誘引度数を含むマイマイガの生態要因と、船の種類と積荷による船舶要因と、航路と航海日数と気候と季節による航海要因とを、少なくとも含むマイマイガ発生リスク情報をコンピュータ５０に入力して記憶させる第１情報入力工程１と、船の光特性を計測した光情報をコンピュータ５０に入力して記憶させる第２情報入力工程２とを、備え、第１情報入力工程１にて入力されるマイマイガ発生リスク情報と、第２情報入力工程２にて入力される光情報と、に基づいて、船を所定のマス目に区割りしたグリッドから成る対象区域Ｔｉ毎に少なくとも光に起因するマイマイガの誘引の虞れを分析する誘引リスク分析工程３と、対象区域Ｔｉ毎にマイマイガの虫害が発生する危険性を複数段階のフェーズＦｉで評価するリスクレベル評価工程４と、対象区域Ｔｉ毎のフェーズＦｉに対応してマイマイガ対策案を決定する対策案決定工程５と、を具備するので、人の勘と経験に頼らず、マイマイガの虫害が発生する危険性の度合いによって、対象区域Ｔｉ毎に最適のマイマイガ対策案の種類又は性能、及び、数量を、確実かつ容易に決定できる。このように、僅かな入力によって、自動的に適正な品質及びコストのマイマイガ対策案を決定できる。海洋上を移動する船舶に於て、ＡＧＭの発生を能率的に防止でき、全世界的にＡＧＭ虫害を抑制できる。
【符号の説明】
【００３４】
１  第１情報入力工程
２  第２情報入力工程
３  誘引リスク分析工程
４  リスクレベル評価工程
５  対策案決定工程
２０  記憶手段
２１  対策案決定手段
２３  入力手段
２６  光計測手段
２７  誘引リスク分析手段
２８  リスクレベル評価手段
２９  無人航空機
５０  コンピュータ
Ｔｉ  対象区域
Ｆｉ  フェーズ
【要約】      （修正有）【課題】船舶用マイマイガ防除システムを提供する。【解決手段】光特性に対応するマイマイガの生態要因と、船の種類と積荷による船舶要因と、航路と航海日数と気候と季節による航海要因とを含むマイマイガ発生リスク情報をコンピュータに入力するための入力手段２３と、船の光特性を計測した光情報を入力する光計測手段２６と、入力されたマイマイガ発生リスク情報と光計測手段２６からの光情報とを記憶する記憶手段２０と、光に起因するマイマイガの誘引の虞れを分析する誘引リスク分析手段２７と、対象区域毎のマイマイガの虫害が発生する危険性を複数段階のフェーズで評価するリスクレベル評価手段２８と、対象区域毎のフェーズに対応してマイマイガ対策案の決定を行う対策案決定手段２１を備えた船舶用マイマイガ防除システム。【選択図】図１【図１】
0005961306.tif 000004
【図２】
0005961306.tif 000005
【図３】
0005961306.tif 000006
【図４】
0005961306.tif 000007
【図５】
0005961306.tif 000008
【図６】
0005961306.tif 000009
【図７】
0005961306.tif 000010
【図８】
0005961306.tif 000011
【図９】
0005961306.tif 000012
【図１０】
0005961306.tif 000013
【図１１】
0005961306.tif 000014
【図１２】
0005961306.tif 000015